(57)【要約】【課題】スピン偏極状態の原子核を用いた場合に核磁気共鳴信号の信号強度を一定にすることができる核磁気共鳴画像装置および核磁気共鳴方法を提供する。【解決手段】スピン偏極状態の原子核の集合の緩和時間よりも短い時間間隔でＲＦ信号を出力した際に、ＭＲ信号強度が一定になるように、スピン偏極状態の原子核の集合の緩和時間の予測値Ｔ１を基にフリップアングルθｉを計算するフリップアングル計算部１７１と、フリップアングルに応じた出力強度を計算するＲＦ信号強度生成部１７２と、その計算結果を基に出力強度の励起ＲＦ信号を出力させるＲＦ駆動部１２，ＲＦコイル部と、勾配磁場を印加する勾配駆動部１３，勾配磁場コイル部と、核磁気共鳴（ＭＲ）信号を受信するＲＦコイル部，データ収集部１４と、ＭＲ信号の信号強度を基に信号強度が一定になるように緩和時間の予測値を修正しＲＦ信号強度を修正する修正部１７３とを設ける。【選択図】  図２
2004267529.tif 000002
【特許請求の範囲】
【請求項１】
被検体中のスピン偏極状態の原子核からの核磁気共鳴信号に応じた処理を行う核磁気共鳴装置であって、
所定の出力強度の励起信号を、前記スピン偏極状態の原子核に出力する励起信号出力手段と、
前記励起信号出力手段が出力した励起信号により励起した、前記被検体中の前記スピン偏極状態の原子核からの核磁気共鳴信号を受信する受信手段と、
前記受信手段が受信した前記核磁気共鳴信号の信号強度に基づいて、当該信号強度が一定になるように、前記励起信号出力手段で出力する励起信号の出力強度を修正する修正手段とを有する
核磁気共鳴装置。
【請求項２】
前記励起信号出力手段は、前記被検体中の前記スピン偏極状態の原子核の緩和時間の予測値に応じた出力強度の励起信号を、前記スピン偏極状態の原子核に出力し、
前記修正手段は、前記受信手段が受信した前記核磁気共鳴信号の信号強度に基づいて、当該信号強度が一定になるように、前記被検体中の前記スピン偏極状態の原子核の緩和時間の前記予測値を修正する
請求項１に記載の核磁気共鳴装置。
【請求項３】
前記励起信号出力手段は、前記被検体中の前記スピン偏極状態の原子核の緩和時間の予測値に基づいて、前記核磁気共鳴信号の信号強度が一定になるように、前記スピン偏極状態の原子核の磁化のフリップアングルを計算し、前記計算結果のフリップアングルに応じた出力強度の励起信号を前記被検体中の前記スピン偏極状態の原子核に出力する
請求項１または２に記載の核磁気共鳴装置。
【請求項４】
前記励起信号出力手段は、前記核磁気共鳴信号の信号強度を一定にさせる励起エネルギの励起信号を、前記スピン偏極状態の原子核の緩和時間よりも短い時間間隔で繰返し出力する際のフリップアングルを計算し、前記計算したフリップアングルに応じた前記励起エネルギの励起信号を前記スピン偏極状態の原子核に出力する
請求項１〜３のいずれかに記載の核磁気共鳴装置。
【請求項５】
被検体中のスピン偏極状態の原子核からの核磁気共鳴信号に応じた処理を行う核磁気共鳴装置であって、
前記スピン偏極状態の原子核からの核磁気共鳴信号を受信する受信手段と、
前記受信手段が受信した前記核磁気共鳴信号の信号強度に基づいて、当該信号強度を一定にさせる出力の励起信号を、少なくとも前記被検体中のスピン偏極状態の原子核の緩和時間よりも短い時間間隔で、繰返し前記スピン偏極状態の原子核に出力する励起信号出力手段と、
前記励起信号出力手段が前記励起信号を出力する時間間隔の間に、少なくとも位相エンコードの勾配磁場強度の時間積分が０となる勾配磁場を前記スピン偏極状態の原子核に印加する勾配磁場印加手段と、
前記勾配磁場印加手段が前記勾配磁場を印加し、前記励起信号出力手段が前記励起信号を前記スピン偏極状態の原子核に印加した状態で、前記受信手段が受信した前記スピン偏極状態の原子核からの核磁気共鳴信号の信号強度に基づいて、励起信号出力手段が出力する励起信号の出力強度を修正する修正手段とを有する
核磁気共鳴装置。
【請求項６】
前記励起信号出力手段は、前記勾配磁場印加手段が前記勾配磁場を印加した状態で、前記スピン偏極状態の原子核からの核磁気共鳴信号の信号強度を一定にさせる前記スピン偏極状態の原子核のフリップアングルを、前記被検体中のスピン偏極状態の原子核緩和時間の予測値に基づいて計算し、前記計算されたフリップアングルに応じた前記出力強度の励起信号を前記スピン偏極状態の原子核に出力する
請求項５に記載の核磁気共鳴装置。
【請求項７】
被検体中のスピン偏極状態の原子核からの核磁気共鳴信号に応じた処理を行う核磁気共鳴方法であって、
所定の出力強度の励起信号を、前記スピン偏極状態の原子核に出力する第１の工程と、
前記第１の工程で出力した励起信号により励起した、前記被検体中の前記スピン偏極状態の原子核からの核磁気共鳴信号を受信する第２の工程と、
前記第２の工程で受信した前記核磁気共鳴信号の信号強度に基づいて、当該信号強度が一定になるように前記励起信号の出力強度を修正する第３の工程とを有する
核磁気共鳴方法。
【請求項８】
前記第１の工程では、前記被検体中の前記スピン偏極状態の原子核の緩和時間の予測値に応じた出力強度の励起信号を、前記スピン偏極状態の原子核に出力し、
前記第３の工程では、前記第２の工程で受信した前記核磁気共鳴信号の信号強度に基づいて、当該信号強度が一定になるように、前記被検体中の前記スピン偏極状態の原子核の緩和時間の前記予測値を修正する
請求項７に記載の核磁気共鳴方法。
【請求項９】
前記第１の工程は、前記被検体中の前記スピン偏極状態の原子核の緩和時間の予測値に基づいて、前記核磁気共鳴信号の信号強度が一定になるように、前記スピン偏極状態の原子核の磁化のフリップアングルを計算し、前記計算結果のフリップアングルに応じた出力強度の励起信号を前記被検体中の前記スピン偏極状態の原子核に出力する
請求項７または８に記載の核磁気共鳴方法。
【請求項１０】
前記第１の工程は、前記核磁気共鳴信号の信号強度を一定にさせる励起エネルギの励起信号を、前記スピン偏極状態の原子核の緩和時間よりも短い時間間隔で繰返し出力する際のフリップアングルを計算し、前記計算したフリップアングルに応じた前記励起エネルギの励起信号を前記スピン偏極状態の原子核に出力する
請求項７〜９のいずれかに記載の核磁気共鳴方法。
【請求項１１】
被検体中のスピン偏極状態の原子核からの核磁気共鳴信号に応じた処理を行う核磁気共鳴方法であって、
少なくとも前記被検体中のスピン偏極状態の原子核の緩和時間よりも短い時間間隔で、前記核磁気共鳴信号の信号強度に基づいて、当該信号強度を一定にさせる出力の励起信号を繰返し前記スピン偏極状態の原子核に出力する第１の工程と、
前記第１の工程で前記励起信号を繰返し出力する時間間隔の間に、少なくとも位相エンコードの勾配磁場強度の時間積分が０となる勾配磁場を前記スピン偏極状態の原子核に印加する第２の工程と、
前記第１の工程が出力した励起信号により励起した前記被検体中の前記スピン偏極状態の原子核からの核磁気共鳴信号を受信し、当該核磁気共鳴信号の信号強度に基づいて励起信号の出力強度を修正する第３の工程とを有する
核磁気共鳴方法。
【請求項１２】
前記第３の工程は、前記勾配磁場を印加した状態で、前記スピン偏極状態の原子核からの核磁気共鳴信号の信号強度を一定にさせる前記スピン偏極状態の原子核のフリップアングルを、前記被検体中のスピン偏極状態の原子核の緩和時間の予測値に基づいて計算し、前記計算したフリップアングルに応じた前記出力強度に修正する
請求項１１に記載の核磁気共鳴方法。
【発明の詳細な説明】
【０００１】
【発明の属する技術分野】
本発明は、例えば被検体中のスピン偏極状態の原子核からの核磁気共鳴信号を処理する核磁気共鳴装置、および核磁気共鳴方法に関するものである。
【０００２】
【従来の技術】
従来、水分子や脂肪分子中の水素原子核の磁化の回転運動に応じて生じる核磁気共鳴信号に基いて画像を生成する核磁気共鳴装置が知られている。
近年、希ガス、例えば１２９  Ｘｅ、３  Ｈｅの超偏極（スピン偏極）状態の原子核を利用して核磁気共鳴信号を生成して画像化する方法が提案されている（例えば、特許文献１参照。）。
【０００３】
【特許文献１】
特表平１０−５０１７０８号公報
【０００４】
【発明が解決しようとする課題】
例えば水分子等の水素原子核を用いた場合、繰返し時間（ＴＲ：Ｒｅｐｅｔｉｔｉｏｎ  ｔｉｍｅ  ）で連続して励起信号を印加して核磁化を励起させ、フリップアングルを所定角度に固定させてＭＲ信号を受信するパルスシーケンスでは、励起により磁化が定常状態になり、核磁気共鳴（ＭＲ）信号の信号強度が一定になる。
【０００５】
ところで、スピン偏極状態の原子核の核磁化は、温度平衡状態（ボルツマン分布）から逸脱しており、スピン偏極状態の原子核の緩和時間Ｔ１は、水素原子核の緩和時間Ｔ１よりも非常に大きい。
スピン偏極状態の原子核の集合にＴＲで繰返し励起パルスを印加してＭＲ信号を受信する場合、ＴＲ毎に縦磁化が回復せずに緩和時間Ｔ１で崩壊し続け、縦磁化が定常状態に達する前にＭＲ信号を受信する。この場合、ＭＲ信号の信号強度がＴＲ毎に減少し、その減少のためにアーチファクトが生じるという問題点があり、改善が望まれている。
【０００６】
本発明は、かかる事情に鑑みてなされたものであり、その目的は、スピン偏極状態の原子核を用いた場合であっても、核磁気共鳴信号の信号強度を一定にすることができる核磁気共鳴画像装置、および核磁気共鳴方法を提供することにある。
【０００７】
【課題を解決するための手段】
前記目的を達成するために、本発明の第１の観点は、被検体中のスピン偏極状態の原子核からの核磁気共鳴信号に応じた処理を行う核磁気共鳴装置であって、所定の出力強度の励起信号を、前記スピン偏極状態の原子核に出力する励起信号出力手段と、前記励起信号出力手段が出力した励起信号により励起した、前記被検体中の前記スピン偏極状態の原子核からの核磁気共鳴信号を受信する受信手段と、前記受信手段が受信した前記核磁気共鳴信号の信号強度に基づいて、当該信号強度が一定になるように、前記励起信号出力手段で出力する励起信号の出力強度を修正する修正手段とを有する。
【０００８】
本発明の第１の観点によれば、励起信号出力手段では、所定の出力強度の励起信号を、スピン偏極状態の原子核に出力する。
受信手段では、励起信号出力手段が出力した励起信号により励起した、被検体中のスピン偏極状態の原子核からの核磁気共鳴信号を受信する。
修正手段では受信手段が受信した核磁気共鳴信号の信号強度に基づいて、当該信号強度が一定になるように、励起信号出力手段で出力する励起信号の出力強度を修正する。
【０００９】
さらに、前記目的を達成するために、本発明の第２の観点は、被検体中のスピン偏極状態の原子核からの核磁気共鳴信号に応じた処理を行う核磁気共鳴装置であって、前記スピン偏極状態の原子核からの核磁気共鳴信号を受信する受信手段と、前記受信手段が受信した前記核磁気共鳴信号の信号強度に基づいて、当該信号強度を一定にさせる出力の励起信号を、少なくとも前記被検体中のスピン偏極状態の原子核の緩和時間よりも短い時間間隔で、繰返し前記スピン偏極状態の原子核に出力する励起信号出力手段と、前記励起信号出力手段が前記励起信号を出力する時間間隔の間に、少なくとも位相エンコードの勾配磁場強度の時間積分が０となる勾配磁場を前記スピン偏極状態の原子核に印加する勾配磁場印加手段と、前記勾配磁場印加手段が前記勾配磁場を印加し、前記励起信号出力手段が前記励起信号を前記スピン偏極状態の原子核に印加した状態で、前記受信手段が受信した前記スピン偏極状態の原子核からの核磁気共鳴信号の信号強度に基づいて、励起信号出力手段が出力する励起信号の出力強度を修正する修正手段とを有する。
【００１０】
さらに、前記目的を達成するために、本発明の第３の観点は、被検体中のスピン偏極状態の原子核からの核磁気共鳴信号に応じた処理を行う核磁気共鳴方法であって、所定の出力強度の励起信号を、前記スピン偏極状態の原子核に出力する第１の工程と、前記第１の工程で出力した励起信号により励起した、前記被検体中の前記スピン偏極状態の原子核からの核磁気共鳴信号を受信する第２の工程と、前記第２の工程で受信した前記核磁気共鳴信号の信号強度に基づいて、当該信号強度が一定になるように前記励起信号の出力強度を修正する第３の工程とを有する。
【００１１】
さらに、前記目的を達成するために、本発明の第４の観点は、被検体中のスピン偏極状態の原子核からの核磁気共鳴信号に応じた処理を行う核磁気共鳴方法であって、少なくとも前記被検体中のスピン偏極状態の原子核の緩和時間よりも短い時間間隔で、前記核磁気共鳴信号の信号強度に基づいて、当該信号強度を一定にさせる出力の励起信号を繰返し前記スピン偏極状態の原子核に出力する第１の工程と、前記第１の工程で前記励起信号を繰返し出力する時間間隔の間に、少なくとも位相エンコードの勾配磁場強度の時間積分が０となる勾配磁場を前記スピン偏極状態の原子核に印加する第２の工程と、前記第１の工程が出力した励起信号により励起した前記被検体中の前記スピン偏極状態の原子核からの核磁気共鳴信号を受信し、当該核磁気共鳴信号の信号強度に基づいて励起信号の出力強度を修正する第３の工程とを有する。
【００１２】
【発明の実施の形態】
本実施形態に係る核磁気共鳴装置１は、スピン偏極（Ｈｙｐｅｒｐｏｌａｒｉｚｅｄ）状態の原子核をプローブとし、スピン偏極状態の原子核による核磁気共鳴（ＭＲ）信号に応じた処理、例えば被険体中のスピン偏極状態の原子核からＭＲ信号に基づいて断面画像を生成する。
【００１３】
スピン偏極状態の原子核の集合は、主磁場に対する配向状態に対向する原子核のスピンのエネルギ準位を占有するスピン数の分布が、熱平衡時における数分布に比べて極端に偏った状態にある。
つまり、核磁化の集合としてみた場合、熱平衡時には、平行スピンと反平行スピンの数がほぼ同数であり、互いに核磁化を打ち消し合い、スピン存在数の約０．０１％のスピンしか核磁気共鳴に寄与しないに対して、スピン偏極状態では、数十％程度のスピンが核磁気共鳴に寄与するので、核磁気共鳴信号の信号強度が非常に強くなる。
【００１４】
例えば、スピン偏極ガス（原子核がスピン偏極状態の原子の集合）としては、１２９  Ｘｅや３  Ｈｅ等のスピン量子数１／２の原子核を有するガスが用いられる。例えば、１２９  Ｘｅ等の希ガスは、水や血液への溶解度が高く人体に無害であり臨床に応用可能である。このスピン偏極ガスは、例えば光ポンピング法により生成可能である。光ポンピング法は、例えば１２９  Ｘｅガスと、ルビジウムＲｂ等のアルカリ金属原子とを封入し、円偏向させたレーザ照射によりルビジウムＲｂの外殻電子を遷移則に従って励起させ、電子のスピン偏極状態を生成させる。その偏極状態を１２９  Ｘｅ等の希ガスの原子核に移すことでスピン偏極状態を生成する。その後ルビジウムを除去して、スピン偏極ガスを得ることができる。
このスピン偏極ガス中のスピン偏極状態の原子核の集合は、プロトンに比べて緩和時間が非常に大きく、例えば約数十秒から数日程度であり、また被険体中では縦緩和時間Ｔ１は周囲の化学環境により大きく異なる。
【００１５】
図１は、本発明の第１実施形態に係る核磁気共鳴装置の全体構成図である。
本発明に係る核磁気共鳴装置１は、例えば図１に示すようにスキャンルームに設置される本体装置１Ａ、およびスキャンルームに隣接して設けられた操作ルームナインオペレータが操作するオペレータコンソール１Ｂを主要素としている。
核磁気共鳴装置１は、図１に示すように、マグネットシステム１１、ＲＦ駆動部１２、勾配駆動部１３、データ収集部１４、制御部１５、クレードル１６、データ処理部１７、記憶部１８、操作部１９、および表示部２０を有する。
【００１６】
マグネットシステム１１は、上下の磁石に挟まれた内部空間（ギャップ：ｇａｐ）１１１を有し、ギャップ１１１内には、クッションを介して被検体６を載せたクレードル１６が図示しない搬送部によって搬入される。
例えば被検体６は、スピン偏極状態の原子核を含む１２９  Ｘｅのガスを貯める貯蔵タンクから吸入器を介して１２９  Ｘｅのガスを吸入する。１２９  Ｘｅはスピン偏極状態のまま体内の細胞内に取込まれる。
マグネットシステム１１内には、ギャップ２１１内のマグネットセンタ（走査する中心位置）の周囲に、主磁場マグネット部１１２ａ，１１２ｂ、勾配コイル部１１３ａ，１１３ｂ、およびＲＦコイル部１１４ａ，１１４ｂが配置されている。
【００１７】
主磁場マグネット部１１２ａ，１１２ｂ、勾配コイル部１１３ａ，１１３ｂ、およびＲＦコイル部１１４ａ，１１４ｂのそれぞれは検査時に被検体６が位置するギャップ１１１内の空間を挟んで対向するコイルで構成される。
主磁場マグネット部１１２ａ，１１２ｂは、ギャップ１１１内に静磁場を形成し、例えば主磁場マグネット部１１２ａ，１１２ｂにより構成される。
勾配コイル部１１３ａ，１１３ｂは、ＲＦコイル部１１４ａ，１１４ｂが受信する核磁気共鳴信号に３次元の位置情報を持たせるために、主磁場マグネット１１２ａ，１１２ｂが形成した静磁場の強度に勾配を付加する勾配磁場を発生する。
勾配磁場部１１３ａ，１１３ｂが発生する勾配磁場は、例えばスライス（Ｓｌｉｃｅ  ）勾配磁場Ｇｓ、リードアウト（Ｒｅａｄ  ｏｕｔ）勾配磁場Ｇｒ、およびフェーズエンコード勾配磁場Ｇｐである。
ＲＦコイル部１１４ａ，１１４ｂは、主磁場マグネット部１１２が形成した静磁場空間内で被検体６中のスピン偏極状態の原子核を励起させるための高周波磁場を形成する。
ここで、高周波電磁場を形成することをＲＦ励起信号の送信という。ＲＦコイル２１４は、被検体６の体内に励起されたスピンが生じる電磁波を核磁気共鳴（ＭＲ）信号として受信する。
ＲＦコイル部１１４は、図示しない送信用コイルおよび受信用コイルを有する。送信用コイルおよび受信用コイルは、同じコイルを兼用するかあるいはそれぞれ専用のコイルを用いる。
【００１８】
なお、本実施形態の場合には、ＲＦコイル部１１４ａ，１１４ｂはＲＦ駆動部１２によるプロトコル対応の駆動信号ＤＲ１を受けて、高周波磁場を形成する。核磁気共鳴撮影処理においては、１繰返し時間（ＴＲ：Ｒｅｐｅｔｉｔｉｏｎ  ｔｉｍｅ）毎に用いるパルスシーケンス（スキャンシーケンス）の数は、被検部位毎に対応して設定されたプロトコルにより異なる。例えば６４〜５１２回繰り返されて、６４から５１２ビューのビューデータが得られる。
【００１９】
ＲＦ駆動部１２は、制御部１５の指示に基づいたプロトコル対応の駆動信号ＤＲ１をＲＦコイル部１１３ａ，１１３ｂに与えて勾配磁場を発生させる。
勾配駆動部１３は、制御部１５の指示に基づいたプロトコル対応の駆動信号ＤＲ２を勾配コイル部１１３ａ，１１３ｂに与えて勾配磁場を発生させる。例えば勾配駆動部１３は、勾配コイルに対応した駆動回路を有する。
【００２０】
データ収集部１４は、ＲＦコイル部１１４ａ，１１４ｂが受信した受信信号を取り込み、それをビューデータ（Ｖｉｅｗ  ｄａｔａ  ）として収集して、オペレータコンソール１Ｂのデータ処理部１７に出力する。
制御部１５は、オペレータコンソール１Ｂンデータ処理部１７から送信されるプロトコルに応じて、予め決められた繰返し時間ＴＲ内において所定のパルスシーケンスが所定回数繰り返される駆動信号ＤＲ１をＲＦコイル部１１４に印加するようにＲＦ駆動部１２を制御する。
同様に制御部１５は、実行すべきプロトコルに即して、１ＴＲ内に所定のパターンのパルス信号を勾配コイル１１３ａ，１１３ｂに印加するように勾配駆動部１３を制御する。
また、制御部１５は、ＲＦコイル１１４ａ，１１４ｂが受信した受信信号を取り込み、それをビューデータとして収集して、データ処理部１７に出力するように、データ収集部１４を制御する。
【００２１】
データ処理部１７は、データ収集部１４から取り込んだデータを記憶部１８に記憶する。データ処理部１７は取り込んだデータに基づいて２次元フーリエ変換処理を行い、フーリエ周波数空間から実空間への変換を行い、被険体６の画像を再構成し、例えばグラフィックディスプレイ等により構成される表示部２０に表示させる。また、例えばデータ処理部１７は、操作部１９から出力されるオペレータＯＰの操作に応じた操作信号に基づいて、核磁気共鳴装置の制御を行う。
【００２２】
記憶部１８は、例えば、履歴データｄ１８１、特性データｄ１８２、およびＭＲデータｄ１８３等を有する。
履歴データｄ１８１は例えば予測値Ｔ１の初期値、フリップアングルθ１の初期値、それぞれの履歴データ等を含む。特性データｄ１８２は例えば装置のコイルの感度特性や、ＲＦ出力コイルの特性等のデータを含む。ＭＲデータｄ１８３は受信されたＭＲ信号データを含む。
【００２３】
図２は、図１に示したデータ処理部の機能ブロック図である。
データ処理部１７は、例えば図２に示すように、フリップアングル計算部１７１、ＲＦ信号強度生成部１７２、修正部１７３、およびパルスシーケンス部１７４等を有する。
【００２４】
フリップアングル計算部１７１は、例えばフリップアングルを計算する。例えば被検体６中のスピン偏極状態の原子核の緩和時間の予測値に応じたフリップアングルを計算し、計算結果をＲＦ信号強度生成部１７２出力する。この際、スピン偏極状態の原子核の緩和時間の予測値に基づいて、核磁気共鳴信号の信号強度が一定になるように、スピン偏極状態の原子核の磁化のフリップアングルを計算する。
また、フリップアングル計算部１７１は、修正部１７３により修正された予測値Ｔ１に基づいてフリップアングルの再計算を行う。
【００２５】
ＲＦ信号強度生成部１７２は、フリップアングル計算部１７１が計算したフリップアングルに基づいて、そのフリップアングルにさせる励起エネルギを計算し、計算結果を制御部１５を介して、ＲＦ駆動部１２に出力する。
【００２６】
修正部１７３は、ＲＦコイル部１１４が受信しデータ収集部１４を介して出力された、核磁気共鳴信号の信号強度に基づいて、信号強度が一定になるようにスピン偏極状態の原子核の緩和時間の予測値を修正し、フリップアングル計算部１７１にフリップアングルの計算を修正させる制御信号をフリップアングル計算部１７１に出力する。
【００２７】
パルスシーケンス部１７４は、例えば所定のパルスシーケンスを記憶し、所定のパルスシーケンスに応じた制御信号をフリップアングル計算部１７１に出力し、また制御部１５を介してＲＦ駆動部１２および勾配駆動部１３に出力する。
【００２８】
図３は、図１に示した核磁気共鳴装置のパルスシーケンスを説明するためのタイムチャートである。図４は、図１に示した核磁気共鳴装置の動作を説明するためのフローチャートである。図３，４を参照しながら核磁気共鳴装置１の動作を説明する。
【００２９】
例えば本実施形態では、ルビジウムＲｂを用いた光ポンピング法等により、スピン偏極（Ｈｙｐｅｒｐｏｌａｒｉｚａｔｉｏｎ  ）された１２９  Ｘｅを、プローブとして核磁気共鳴信号を得る。
１２９  Ｘｅ等のスピン偏極ガスを吸気や注射等により被険体６に注入すると、１２９  Ｘｅがスピン偏極状態のまま被険体６中の水分、脂肪分や血液中に溶け込む。チューニングスキャン、例えばＲＦ励起信号とフリップアングルθとの対応関係の調整を行うスキャンは、スピン偏極状態の原子核の磁化を減少させるので、チューニングスキャンを行わないことが好ましい。
【００３０】
本実施形態ではパルスシーケンスとして、例えば図３に示すように、スポイルド系のグラジエントエコー法を用い、位相エンコード勾配磁場を変化させて繰返し時間ＴＲでスキャンを行う。パルスシーケンスは、本実施形態に限られるものではない。例えばＧＲＡＳＳ（Ｇｒａｄｉｅｎｔ  ｒｅｃａｌｌｅｄ  ａｃｑｕｉｓｉｔｉｏｎ  ｉｎ  ｔｈｅ  ｓｔｅａｄｙ  ｓｔａｔｅ  ）等のグラジエントエコー法でもよいし、スピンエコー法や、エコープラナーイメージング法等のパルスシーケンスであってもよい。
【００３１】
励起ＲＦ信号の繰返し時間ＴＲは、スピン偏極状態の原子核の緩和時間よりも短い。この際、横磁化が残存した状態で次の励起ＲＦ信号が印加される。例えば、励起ＲＦ信号によりスピン偏極状態の原子核の核磁化を所定角度、例えば一定のフリップアングルθに励起させた場合には、ＴＲ毎に縦磁化が回復せず、スピン偏極状態がＴ１で崩壊を続ける。そのため核磁化をフリップアングルθを一定に励起させた場合には、縦磁化による定常状態に達せず、ＭＲ信号の信号強度が減少を続ける。
【００３２】
ステップＳＴ１において、フリップアングル計算部１７１では、ＭＲ信号の信号強度の減少分を補充して、信号強度が一定になるように予めフリップアングルθを計算する。
フリップアングル計算部１７１では、例えば詳細には、フリップアングルθの初期値θ１、スピン偏極状態の原子核の撮像部位における縦緩和時間の代表値（例えば所望の撮像部位の縦緩和時間の平均値）の予測値Ｔ１の初期値に基づいて、位相エンコード数ｉを用いて数式（１）によりフリップアングルθｉを計算する。
【００３３】
【数１】
2004267529.tif 000003
2004267529.tif 000004
【００３４】
ここで、サイン逆関数の引数中の分母は、θｊのコサイン関数の、引数ｊが１からｉ−１までの積を示す。
この計算結果のフリップアングルになるような信号強度のＲＦ信号を、被険体６中のスピン偏極状態の原子核に照射すると、理論上ＭＲ信号の信号強度は一定値になる。
【００３５】
例えば初期値θ１としては、記憶部１８に記憶している履歴データｄ１８１内の、フリップアングルの履歴の平均値により算出する。緩和時間Ｔ１の初期予測値も同様に、記憶部１８に記憶している履歴データｄ１８１内の、緩和時間Ｔ１の予測値の平均値により算出する。履歴データｄ１８１は、コイル，スキャン部位毎に記憶部１８に記憶することが好ましい。
【００３６】
また、フリップアングル計算部１７１では、スキャン終了時の位相エンコード数Ｎにおいて、計算結果のフリップアングルθＮがπ／２よりも大きい場合には、初期値θ１を小さな値に修正し再計算を行う。
また、フリップアングル計算部１７１では、スキャン終了時の位相エンコード数Ｎにおいて、計算結果のフリップアングルθＮが所定値、例えば１より小さい場合には、スピン偏極状態の原子核の磁化を全て有効に使用しないと判別し、初期値θ１を大きな値に修正し再計算を行う。
【００３７】
ステップＳＴ２において、ＲＦ信号強度生成部１７２では、フリップアングル計算部１７１により生成されたフリップアングルθｉに基づいて、励起ＲＦ信号の励起エネルギが計算され、計算結果が制御部１５を介してＲＦ駆動部１２に出力される。核磁化のフリップアングルは、印加するＲＦ励起信号の信号強度と印加時間の積に比例する。
ＲＦ信号強度生成部１７２は、例えば予め印加時間が定められている場合には、フリップアングルθｉに応じた信号強度を計算し、その信号強度を制御部１５を介してＲＦ駆動部１２に出力する。
【００３８】
ステップＳＴ３において、データ処理部１７では、パルスシーケンス部１７４により記憶されている所定のパルスシーケンスに応じた制御信号を制御部１５に出力する。
制御部１５では、パルスシーケンスに応じた制御信号に基づいて勾配駆動部１３，ＲＦコイル部１２を駆動させる。勾配コイル部１１３ａ，ｂでは勾配駆動部１３の駆動信号に応じた所定の勾配磁場を被険体６に印加し、ＲＦコイル部１２ではＲＦ駆動部１２の駆動信号に応じた励起パルス信号が印加される。
【００３９】
例えば図３に示すように、励起ＲＦ信号の繰返し時間ＴＲが、スピン偏極状態の原子核の緩和時間よりも短い場合に、ＴＲ毎の横磁化のコヒーレンスを除去、排除させるパルスシーケンス、例えばＳＰＧＲ（Ｓｐｏｉｌｅｄ  ＧＲＡＳＳ  ）に基づいてＭＲ信号を励起し、ＭＲ信号を受信する。
詳細には例えば図３（ａ），（ｂ）に示すように、勾配駆動部１３ではスライス選択勾配磁場Ｇｓを印加し、ＲＦ駆動部１２では所定フリップアングルを励起させるＲＦ信号をＲＦコイル部１１４に、被険体６中のスピン偏極状態の原子核に照射させて、被険体６のスライス面を選択させる。
図３（ｃ）に示すように、勾配駆動部１３では、位相エンコード勾配磁場Ｇｐを印加し、読み出し用のリードアウト勾配磁場Ｇｒを印加する。
ステップＳＴ４において、図３（ｅ）に示すようにＭＲ信号がＲＦコイル部１１４により受信され、データ収集部１４によりデータ処理部１７に出力される。データ処理部１７では、ＴＲ毎に記憶部１８に履歴データｄ１８１，ＭＲデータｄ１８３として記憶する。
【００４０】
スピン偏極状態の原子核の縦緩和時間Ｔ１値は、周囲の化学環境により大きく変化し予測困難である。
ステップＳＴ５において、修正部１７３では、ＴＲ毎に、例えばＭＲ信号の信号強度Ｓｉ  と記憶部１８に記憶されている信号強度Ｓｉ−１  との差が比較され、しきい値ΔＳより大きい場合には、スピン偏極状態の原子核の緩和時間予測値Ｔ１が小さいと判別し、予測値Ｔ１をΔＴ１大きな値に修正し（ＳＴ６）、ステップＳＴ１に戻る。フリップアングル計算部１７１ではフリップアングルを再計算する。
ここで、例えば信号強度Ｓｉ  は、ＭＲ信号の絶対値の最大値とする。
一方、修正部１７３では、信号強度Ｓｉ  と記憶部１８に記憶されている信号強度Ｓｉ−１  との差が比較され、しきい値ΔＳより小さい場合には（ＳＴ７）、スピン偏極状態の原子核の緩和時間予測値Ｔ１が大きいと判別し、予測値Ｔ１をΔＴ１小さな値に修正し（ＳＴ８）、ステップＳＴ１に戻る。
ステップＳＴ６，ＳＴ８において、ΔＴ１としては、再計算によりフリップアングルθｉを修正し信号強度Ｓｉの変動がしきい値以内になるように適宜定める。
【００４１】
ステップＳＴ９において、再計算によりフリップアングルθｉがπ／２よりも大きくなる場合には、再計算前のフリップアングルθｉでスキャンを続け、スキャン初期値θ１をΔθ１だけ小さい値に修正し（ＳＴ１０）、ステップＳＴ１に戻る。これはスピンフリップアングルθｉがπ／２よりも大きくなった時点で、ＭＲ信号の信号強度がゼロになるからである。
【００４２】
ステップＳＴ１１において、フリップアングルθＮが所定値θｔ、例えばπ／２よりも小さい値の場合には、初期値θ１が小さいために、スピン偏極状態の原子核の集合の磁化を有効に利用できないので、初期値θ１をΔθ１大きく修正し（ＳＴ１２）次スキャンを行う（ＳＴ１３）。
【００４３】
以上、データ処理部１７は、スキャンにより得られた、スピン偏極状態の原子核の磁化運動に応じたＭＲ信号に基づいて、２次元フーリエ変換処理を行い、断面画像を生成し、表示部２０に表示させる。
【００４４】
以上説明したように、スピン偏極状態の原子核の緩和時間よりも短い時間間隔でＲＦ信号を出力した際に、核磁気共鳴信号の信号強度が一定になるように、スピン偏極状態の原子核の緩和時間の予測値Ｔ１に基づいて、スピン偏極状態の原子核の磁化のフリップアングルθｉを計算するフリップアングル計算部１７１と、計算結果のフリップアングルに応じた出力強度を計算するＲＦ信号強度生成部１７２と、ＲＦ信号強度生成部１７２の計算結果に応じた出力強度の励起ＲＦ信号を、被検体中のスピン偏極状態の原子核に出力させるＲＦ駆動部１２，ＲＦコイル部１１４と、所定のパルスシーケンスに応じた勾配磁場を印加する勾配駆動部１３，勾配磁場コイル部１１３と、励起信号により被検体６中のスピン偏極状態の原子核からの核磁気共鳴信号を受信するＲＦコイル部１１４，データ収集部１４と、核磁気共鳴信号の信号強度に基づいて、当該信号強度が一定になるように、スピン偏極状態の原子核の緩和時間の予測値を修正し、励起ＲＦ信号の出力強度を修正する修正部１７３とを設けたので、スピン偏極状態の原子核を用いた場合であっても、核磁気共鳴信号の信号強度を一定にすることができる。
【００４５】
図５（ａ）はスキャン時にフリップアングルを所定角度に制御した場合の信号強度を図である。図５（ｂ）は図１に示した核磁気共鳴装置のスキャン時における核磁気共鳴信号の信号強度およびフリップアングルを示す図である。横軸は位相エンコード数であり、縦軸はＭＲ信号強度，およびフリップアングルθを示す。フリップアングルθは黒ひし形マーク、ＭＲ信号強度は黒四角形マークで示す。
図６はアーチファクトを説明するための図である。図６（ａ）は図５（ａ）に示したスキャンにより得られたＭＲ信号の１次元フーリエ変換後の信号を説明するための図である。図６（ｂ）は図１に示した核磁気共鳴装置によるＭＲ信号の１次元フーリエ変換後の信号を説明するための図である。
【００４６】
フリップアングルを所定角度に制御した場合には、例えば図５（ａ）に示すように、スピン偏極状態の原子核の集合のＴ１崩壊過程によりＭＲ信号の信号強度が減少し、例えば図６（ａ）に示すように、１次元フーリエ変換後のＭＲ信号にアーチファクト、詳細にはリンギングｒが生じる。
【００４７】
一方、本実施形態に係る核磁気共鳴装置１では、図５（ｂ）に示すように、スピン偏極状態の原子核の集合のＴ１崩壊によるＭＲ信号の信号強度の減少を補い、信号強度が一定にするようにフリップアングルを増加させる励起エネルギの励起ＲＦ信号を出力する。このように、信号強度が一定になるので、図６（ｂ）に示すように、アーチファクト、リンギングのないＭＲ信号を得ることができ、高画質のＭＲ画像を得ることができる。
【００４８】
また、予め予測値Ｔ１を用いて数式（１）より信号強度を一定にするフリップアングルを計算し、実際に受信したＭＲ信号の信号強度に基づいて、Ｔ１を修正し、フリップアングルを修正してＲＦ出力強度を計算するので、励起ＲＦ信号の送信出力をＴＲ毎に高速に決定することができる。
【００４９】
また、スキャン終了時には、励起ＲＦ信号により、核磁化のフリップアングルを約π／２にまで倒すので、スピン偏極状態の核磁化を有効に使うことができる。
また、スキャンチューニングスキャンを行わないので、スピン偏極状態（超偏極状態）の核磁化を無駄にすることがなく、本スキャンを行うことができる。
【００５０】
第２実施形態に係る核磁気共鳴装置１ａの構成は、図示しないが、マグネットシステム１１、ＲＦ駆動部１２、勾配駆動部１３、データ収集部１４、制御部１５、クレードル１６、データ処理部１７、記憶部１８、操作部１９、および表示部２０を有する。
核磁気共鳴装置１ａは、第１実施形態に係る核磁気共鳴装置１の構成要素と同様であり、同一点については説明を省略し、相違点のみ説明する。
【００５１】
核磁気共鳴装置１ａは、パルスシーケンスとしては、グラジエンドエコー法において、例えば、スピン偏極状態の原子核の集合の緩和時間よりも短い繰返し時間ＴＲで、高角度のフリップアングルに励起させるスピン偏極励起ＲＦ信号を印加し、横磁化のコヒーレント状態を保った状態、定常状態で核磁気共鳴（ＭＲ）信号を得る。
この際、定常状態を生成するために、例えば勾配駆動部１３は、繰返し時間ＴＲ間の勾配磁場強度の時間積分がゼロとなる印加磁場を印加する。
また、ＲＦ駆動部１２は、ＲＦコイル部１１４を介して励起ＲＦ信号をスピン偏極状態の原子核に印加する場合には、フリップアングルを例えば磁化を所定角度に励起し、次にｚ軸に対して先に励起した方向と逆方向に所定角度に励起させる可変フリップアングル（Ｖａｒｉａｂｌｅ  ｆｌｉｐ  ａｎｇｌｅ  ）法によりスキャンを行う。例えばメトロノームのように、ｚ軸を基準としてプラスθ，マイナスθ，プラスθ，…と、順に所定角度θに核磁化を励起させる。
【００５２】
しかし、スピン偏極状態の原子核の集合では、上述したように核磁化のスピンのエネルギ状態が温度平衡状態から極端に偏極しているため、本スキャン中も緩和時間Ｔで平衡状態へ戻る。このため通常プロトンではＴＲ毎に励起された磁化が緩和する過程が、スピン偏極状態の原子核では偏極状態が崩壊する工程になり、Ｔ１崩壊により、フェーズエンコード方向のＭＲ信号の信号強度が減少するために、横磁化が定常状態にならない。
【００５３】
このため、本実施形態に係る核磁気共鳴装置１ａは、スピン偏極状態から温度平衡状態に崩壊する工程によりＭＲ信号の信号強度の時定数Ｔ１での減少分を補うようにフリップアングルを計算し、詳細にはフリップアングルを増加させ、計算結果のフリップアングルにさせる励起エネルギの励起ＲＦ信号を出力する。こうすることにより、ＭＲ信号の信号強度を一定にすることができる。
【００５４】
図７は、本発明の第２実施形態に係る核磁気共鳴装置のパルスシーケンスのタイムチャートである。図８は、本発明の第２実施形態に係る核磁気共鳴装置の動作を説明するためのフローチャートである。図７，８を参照しながら、核磁気共鳴装置の動作を説明する。第１実施形態と同様な動作については説明を省略し、相違点のみ簡単に説明する。
【００５５】
ステップＳＴ１０１において、データ処理部１７では、例えば縦緩和時間Ｔ１，フリップアングルθの初期値θ１が設定される。
ステップＳＴ１０２において、フリップアングル計算部１７１では、初期値Ｔ１，θ１に基づいてフリップアングルθｉの計算を行う。本実施形態では、フリップアングル計算部１７１は、例えばフリップアングルθｉを数式（２），（３）により計算する。ここで例えば位相エンコード数ｉが奇数，偶数かにより、フリップアングルθをｚ軸を対称としてプラス，マイナスに計算する。
【００５６】
【数２】
2004267529.tif 000005
2004267529.tif 000006
【００５７】
【数３】
2004267529.tif 000007
2004267529.tif 000008
【００５８】
ここで、Ｅ１  ，Ｅ２  は、数式（４），（５）とする。
【００５９】
【数４】
2004267529.tif 000009
2004267529.tif 000010
【００６０】
【数５】
2004267529.tif 000011
2004267529.tif 000012
【００６１】
この数式（２）〜（５）は、Ｔ１崩壊による磁化の減少分を補充し、ＭＲ信号の信号強度が一定にさせるフリップアングルθを計算する。
ステップＳＴ１０３において、フリップアングル計算部１７１では、スキャン終了時の位相エンコード数Ｎにおいて、計算結果のフリップアングルθＮがπ／２よりも大きい場合には、初期値θ１を小さな値に修正し、または位相エンコード数Ｎを小さい値に修正し（ＳＴ１０４）、ステップＳＴ１０２に戻る。
【００６２】
ステップＳＴ１０５において、フリップアングル計算部１７１では、スキャン終了時の位相エンコード数Ｎにおいて、計算結果のフリップアングルθＮが所定値、例えば０．６より小さい場合には、スピン偏極状態の原子核の磁化を全て有効に使用しないと判別し、初期値θ１を大きな値に修正し、または自走エンコード数を大きな値に修正し（ＳＴ１０６）、ステップＳＴ１０２に戻る。上記ステップＳＴ１０３，ＳＴ１０５の条件を満たさない場合には、ステップＳＴ１０７進む。
【００６３】
ステップＳＴ１０７において、ＲＦ信号強度生成部１７２では、フリップアングル計算部１７１により生成されたフリップアングルθｉに基づいて、励起ＲＦ信号の励起エネルギが計算され、計算結果が制御部１５を介してＲＦ駆動部１２に出力される。核磁化のフリップアングルは、印加するＲＦ励起信号の信号強度と印加時間の積に比例する。
ＲＦ信号強度生成部１７２は、例えば予め印加時間が定めらている場合には、フリップアングルθｉに応じた信号強度を計算し、その信号強度を制御部１５を介してＲＦ駆動部１２に出力する。
この際、ＲＦ信号強度生成部１７２は、一般的なチューニングスキャンによるフリップアングルθと励起出力の関係の決定を行わず、記憶部１８に記憶している、使用するコイルの特性データや、スキャン部位毎の過去の値も参照して決定する。
【００６４】
ステップＳＴ１０８において、スピン偏極状態の原子核の核磁化の消費を避けるために、定常状態に達するまでのダミースキャンは行わない。
ステップＳＴ１０９において、データ処理部１７では、スキャンを開始する。この際、データ処理部１７は、図７に示すような、パルスシーケンスでＲＦ信号、勾配磁場を印加する（ＳＴ１１０）。
【００６５】
詳細には、データ処理部１７は、励起ＲＦ信号の繰返し時間ＴＲが、スピン偏極状態の原子核の集合の緩和時間よりも短い場合に、例えば図７（ａ），（ｂ）に示すように、勾配駆動部１３ではスライス選択勾配磁場Ｇｓを印加し、ＲＦ駆動部１２では所定フリップアングルを励起させるＲＦ信号をＲＦコイル部１１４に、被険体６中のスピン偏極状態の原子核に照射させて、被険体６のスライス面を選択させる。この際、ＴＲ間の勾配磁場強度の時間積分が０となる勾配磁場を印加する（少なくともＴＲ間の位相エンコードの勾配磁場強度の時間積分が０）。これは、Ｔ２コヒーレンスを保持するためである。
図７（ｃ）に示すように、勾配駆動部１３では、位相エンコード勾配磁場Ｇｐを印加し、読み出し用のリードアウト勾配磁場Ｇｒを印加する。
【００６６】
ステップＳＴ１１１において、図７（ｅ）に示すようにＭＲ信号がＲＦコイル部１１４により受信され、データ収集部１４によりデータ処理部１７に出力される。この際、ＴＲ間の勾配磁場強度の時間積分がゼロとなるように、勾配磁場Ｇｓ，Ｇｐ，Ｇｒを印加される。
データ処理部１７では、ＴＲ毎に記憶部１８に履歴データｄ１８１，ＭＲデータｄ１８３として記憶する。
ステップＳＴ１１２において、データ処理部１７では、スキャン中に、例えばＭＲ信号の信号強度Ｓｉ  がゼロよりも小さいか判別され、小さいと判別された場合には、修正部は、Ｔ１が長すぎたと判別しＴ１を修正し、または励起エネルギが大きすぎたと判別し送信出力を修正して（ＳＴ１１３）、ステップＳＴ１０２の戻る。
一方、ステップＳＴ１１１において、信号強度Ｓｉ  が０よりも大きい場合には、次のスキャンに進む。
【００６７】
以上、データ処理部１７は、スキャンにより得られた、スピン偏極状態の原子核の磁化運動に応じたＭＲ信号に基づいて、２次元フーリエ変換処理を行い、断面画像を生成し、表示部２０に表示させる。
【００６８】
以上説明したように、スピン偏極状態の原子核の集合の緩和時間よりも短い時間間隔でＲＦ信号を出力した際に、核磁気共鳴信号の信号強度が一定になるように、スピン偏極状態の原子核の集合の緩和時間の予測値Ｔ１に基づいて、スピン偏極状態の原子核の磁化のフリップアングルθｉを数式（２）〜（５）より計算するフリップアングル計算部１７１と、計算結果のフリップアングルに応じた励起エネルギを計算するＲＦ信号強度生成部１７２と、ＲＦ信号強度生成部１７２の計算結果に応じた励起エネルギの励起ＲＦ信号を、被検体中のスピン偏極状態の原子核に出力させるＲＦ駆動部１２，ＲＦコイル部１１４と、励起信号を出力する時間間隔の間に、印加磁場強度の時間積分が０となる勾配磁場を、上述のパルスシーケンスに応じた勾配磁場を印加する勾配駆動部１３，勾配磁場コイル部１１３と、励起信号により励起した、被検体６中のスピン偏極状態の原子核からの核磁気共鳴信号を受信するＲＦコイル部１１４，データ収集部１４と、核磁気共鳴信号の信号強度に基づいて、当該信号強度が一定になるように、スピン偏極状態の原子核の集合の緩和時間の予測値を修正し、ＲＦ信号の出力強度を修正する修正部１７３とを設けたので、スピン偏極状態の原子核を用いた場合であっても、核磁気共鳴信号の信号強度を一定にすることができる。
【００６９】
図９（ａ）はスキャン時における核磁気共鳴信号の信号強度、フリップアングル、およびＭｚを示す図である。図９（ｂ）は図１に示した核磁気共鳴装置のスキャン時における核磁気共鳴信号の信号強度、フリップアングル、およびＭｚを示す図である。横軸は位相エンコード数であり、縦軸はＭＲ信号強度，フリップアングルθ、縦磁化Ｍｚを示す。フリップアングルθは黒ひし形マーク、ＭＲ信号強度は黒四角形マーク、縦磁化Ｍｚは×マークで示す。
【００７０】
フリップアングルを所定角度に制御した場合には、例えば図９（ａ）に示すように、スピン偏極状態の原子核の集合のＴ１崩壊過程によりＭＲ信号の信号強度，縦磁化Ｍｚが減少し、例えば図６（ａ）に示すように、１次元フーリエ変換後のＭＲ信号にアーチファクト、詳細にはリンギングｒが生じる。
【００７１】
一方、本実施形態に係る核磁気共鳴装置１ａでは、図９（ｂ）に示すように、スピン偏極状態の原子核の集合のＴ１崩壊によるＭＲ信号の信号強度の減少を補い、信号強度が一定にするようにフリップアングルを増加させる励起エネルギの励起ＲＦ信号を出力する。このように、信号強度が一定になるので、図６（ｂ）に示すようにアーチファクト、リンギングのないＭＲ信号を得ることができ、高画質のＭＲ画像を得ることができる。
【００７２】
また、予め予測値Ｔ１を用いて数式（２）〜（５）より信号強度を一定にするフリップアングルを計算し、実際に受信したＭＲ信号の信号強度に基づいて、Ｔ１を修正し、フリップアングルを修正してＲＦ出力強度を計算するので、励起ＲＦ信号の送信出力をＴＲ毎に高速に決定することができる。
また、スピン偏極状態の原子核の集合の横緩和時間Ｔ２がプロトンよりも長く、励起ＲＦ信号を出力する時間間隔の間に、印加磁場強度の時間積分が０となる勾配磁場をスピン偏極状態の原子核に印加するので、その横磁化のコヒーレンスを有効に用いることができる。
【００７３】
なお、本発明は本実施の形態に限られるものではなく、任意好適な種々の改変が可能である。
例えば、第１実施形態では、パルスシーケンスとして、ＳＰＧＲ法を用いたが、この形態に限られるものではない。パルスシーケンスによらない。
【００７４】
【発明の効果】
本発明によれば、スピン偏極状態の原子核を用いた場合であっても、核磁気共鳴信号の信号強度を一定にすることができる核磁気共鳴画像装置、および核磁気共鳴方法を提供することができる。
【図面の簡単な説明】
【図１】図１は、本発明の第１実施形態に係る核磁気共鳴装置の全体構成図である。
【図２】図２は、図１に示したデータ処理部の機能ブロック図である。
【図３】図３は、図１に示した核磁気共鳴装置のパルスシーケンスを説明するためのタイムチャートである。
【図４】図４は、図１に示した核磁気共鳴装置の動作を説明するためのフローチャートである。
【図５】図５（ａ）はスキャン時にフリップアングルを所定角度に制御した場合の信号強度を図である。図５（ｂ）は図１に示した核磁気共鳴装置のスキャン時における核磁気共鳴信号の信号強度およびフリップアングルを示す図である。
【図６】図６はアーチファクトを説明するための図である。図６（ａ）は図５（ａ）に示したスキャンにより得られたＭＲ信号の１次元フーリエ変換後の信号を説明するための図である。図６（ｂ）は図１に示した核磁気共鳴装置によるＭＲ信号の１次元フーリエ変換後の信号を説明するための図である。
【図７】図７は、本発明の第２実施形態に係る核磁気共鳴装置のパルスシーケンスのタイムチャートである。
【図８】図８は、本発明の第２実施形態に係る核磁気共鳴装置の動作を説明するためのフローチャートである。
【図９】図９（ａ）はスキャン時における核磁気共鳴信号の信号強度、フリップアングル、およびＭｚを示す図である。図９（ｂ）は図１に示した核磁気共鳴装置のスキャン時における核磁気共鳴信号の信号強度、フリップアングル、およびＭｚを示す図である。
【符号の説明】
１…核磁気共鳴装置、１１…マグネットシステム、１２…ＲＦ駆動部、１３…勾配駆動部、１４…データ収集部、１５…制御部、１６…クレードル、１７…データ処理部、１８…記憶部、１９…操作部、２０…表示部、２１１…ギャップ、１１２ａ，１１２ｂ…主磁場マグネット部、１１３ａ，１１３ｂ…勾配コイル部、１１４ａ，１１４ｂ…ＲＦコイル部、１７１…フリップアングル計算部、１７２…ＲＦ信号強度生成部、１７３…修正部、１７４…パルスシーケンス部。
【図１】
2004267529.tif 000013
【図２】
2004267529.tif 000014
【図３】
2004267529.tif 000015
【図４】
2004267529.tif 000016
【図５】
2004267529.tif 000017
【図６】
2004267529.tif 000018
【図７】
2004267529.tif 000019
【図８】
2004267529.tif 000020
【図９】
2004267529.tif 000021